(57)【要約】【課題】薄型テレビなどのディスプレイ装置の上部空間を有効に活用できる装置を提供する。【解決手段】テレビ、パソコンなどディスプレイ装置の背面に取り付ける取付板と、搭載台と、仲介腕とより構成する。取付板はディスプレイ装置の取り付け具のボルト孔と、ほぼ等しい間隔の取り付け孔を備えている。搭載台はディスプレイ装置の上部空間に配置できる板体、容器体、などで構成する。仲介腕は取付板と搭載台と間に介在させ、かつ複数の関節で折り曲がり可能に構成する。【選択図】図１
0003138256.tif 000002
【実用新案登録請求の範囲】
【請求項１】
テレビ、パソコンなどディスプレイ装置の背面に取り付ける取付板と、搭載台と、仲介腕とより構成し、
取付板は、ディスプレイ装置の取り付け具のボルト孔と、ほぼ等しい間隔の取り付け孔を備えており、
搭載台は、ディスプレイ装置の上部空間に配置できる板体、容器体、などで構成し、
仲介腕は、取付板と搭載台と間に介在させ、かつ複数の関節で折り曲がり可能に構成した、
ディスプレイの上部を利用する装置。
【考案の詳細な説明】
【技術分野】
【０００１】
本考案はディスプレイの上部を利用する装置に関するものである。
【背景技術】
【０００２】
液晶テレビやパソコンのディスプレイ装置は非常に薄型化しており、少ない床や、机上の面積で利用できるという特徴を備えている。
【考案の開示】
【考案が解決しようとする課題】
【０００３】
薄型のディスプレイ装置は、それが占有する面積が少ない反面、その上部空間を利用することができない、というよりも、従来はその上の空間を利用しようという発想さえなかった。
【課題を解決するための手段】
【０００４】
上記のような従来の課題を解決した本考案は、テレビ、パソコンなどディスプレイ装置の背面に取り付ける取付板と、搭載台と、仲介腕とより構成し、取付板は、ディスプレイ装置の取り付け具のボルト孔と、ほぼ等しい間隔の取り付け孔を備えており、搭載台は、ディスプレイ装置の上部空間に配置できる板体、容器体、などで構成し、仲介腕は、取付板と搭載台と間に介在させ、かつ複数の関節で折り曲がり可能に構成したディスプレイの上部を利用する装置を特徴とするものである。
【考案の効果】
【０００５】
本考案は上記したようになるから、従来はその利用があきらめられていた、薄型のディスプレイ装置の上部空間を有効に利用でき、文具や花やリモコン装置などを搭載しておくことができる。
【考案を実施するための最良の形態】
【０００６】
以下、図面を参照しながら本考案の実施例を説明する。
【実施例】
【０００７】
＜１＞  前提条件。
薄型テレビやパソコンでは、そのディスプレイ装置Ａは背面に取り付けた支持脚Ｂで支持されている。
この支持脚Ｂは、床や机の上に置く水平の支持盤Ｃに固定されて、ディスプレイ装置Ａを安定した状態で支持している。
この支持脚Ｂと、ディスプレイ装置Ａとの取り付け部にはすでに製品として既設のボルトが利用されている。
そしてこの既設ボルトの位置や、既設のボルトの直径は電気機器の規格によって決定されている。
本考案の装置は、このように規格化されている支持脚Ｂの既設ボルトを利用することを前提としている。
【０００８】
＜２＞全体の構成。
本発明の装置は取付板３と、搭載台１と、仲介腕２とより構成する。
【０００９】
＜３＞取付板３。
取付板３は、合成樹脂製、あるいは鋼製の板体である。
この取付板３は、テレビ、パソコンなどディスプレイ装置Ａの背面に取り付けるための板体である。
この取付板３には、複数の位置にボルト孔３２が開口している。
このボルト孔３２の位置は、テレビやパソコンなどのディスプレイ装置Ａの背面の支持脚Ｂとの取り付けている、既設のボルトの孔の位置と一致した位置、間隔に開口してある。
取付板３のボルト孔３２を、楕円形に開口しておけば、支持脚Ｂ用の既設ボルトの位置と多少の位置のズレがあっても取り付けに支障をきたさない。
この取付板３の裏面には２枚の短い板体であるブラケット３１が平行して突設してある。
この２枚のブラケット３１の間隔は、後述する仲介腕２の端部の幅よりとほぼ等しい寸法に構成し、ブラケット３１間に仲介腕２の端部を挿入してボルト２２を挿入して固定できるように構成する。
【００１０】
＜４＞搭載台。
搭載台１は、ディスプレイ装置Ａの上部空間に設置する板体、容器体、などであり、その上にペン立てなどの対象物を搭載することができる。
いずれの場合でも、平面図的にディスプレイ装置Ａの範囲をカバーする程度の形状を呈する。
搭載台１が長方形の板体の場合にはその周囲に多少の高さの縁部１１を突設しておき、搭載台１に搭載したたとえばリモコンやペン立てなどの落下を阻止できるように構成する。
搭載台１は、平板ではなく、浴槽型の長方形、楕円形の容器などを採用することもできる。
いずれの場合でも軽量化のために、多数の孔を開口したもの、あるいは金網、網状の合成樹脂板などを採用することができる。
搭載台１の下面にも、２枚の短い板体であるブラケット１２を平行に突設してある。
この２枚のブラケット１２の間隔は、後述する仲介腕２の端部の幅とほぼ等しい寸法に構成し、ブラケット１２間に仲介腕２の端部を挿入してボルト２２を挿入して固定できるように構成する。
【００１１】
＜５＞仲介腕２。
取付板３と搭載台１との間を仲介腕２により接続する。
仲介腕２は、複数のリンク２１で構成し、リンク２１間の関節部分をボルト２２によってピン接合した部材である。
各リンク２１は両端にボルト孔を開口した、合成樹脂製の軽量の棒状の部材である。
リンク２１とリンク２１の接合は、リンク２１の端部を重ね、ボルト孔にボルト２２を貫通することによって折れ曲げ自在に構成する。
しかしリンク２１とリンク２１の間の折れ曲げが自在のままでは、形状が固定しないから、ボルト２２とナット２３の組み合わせで構成し、ナット２３を回転することによって関節部分を周囲から強固に締め付けて、それ以降の折れ曲げを阻止できるように構成する。
【００１２】
＜６＞取り付け方法。
次に本考案の装置を取り付ける方法について説明する。
【００１３】
＜７＞取付板３の取り付け。
まず薄型テレビやパソコンのディスプレイ装置Ａと支持脚Ｂとを締結している既設のボルトをいったん取り外す。
その後、取付板３のボルト孔３２に、取り外した既設のボルトを挿入して、再度ディスプレイ装置Ａと支持脚Ｂの外側に取付板３を位置させて一体に取り付ける。
【００１４】
＜８＞仲介腕２の取り付け。
次に、取付板３には仲介腕２を取り付ける。
仲介腕２は、取付板３と搭載台１と間に介在させ、かつ複数の関節で折り曲がり可能に構成したものであるから、この仲介腕２の一端を、ボルト２２、ナット２３を利用して取付板３に取り付ける。
取付板３の背面には前記したように２枚のブラケット３１が突出してあり、２枚のブラケット３１の間隔は仲介腕２の端部の幅よりとほぼ等しい寸法に構成してあるから、その間に仲介腕２の端部を挿入してボルト２２を貫通させれば固定することができる。
【００１５】
＜９＞搭載台の取り付け。
次に、仲介腕２の他端に搭載台１を取り付ける。
搭載台１の下面にも、２枚の短い板体であるブラケット１２を平行に突設してあり、２枚のブラケット１２の間隔は仲介腕２の端部の幅よりとほぼ等しい寸法に構成してあるから、そのブラケット１２間に仲介腕２の端部を挿入してボルト２２を貫通させれば両者を固定することができる。
なお、以上は接続方法の一例であって、まず仲介腕２に搭載台１と取付板３を取り付けておき、その後、ディスプレイ装置Ａの裏面に取付板３を取り付けるなど、自由な順序で組み立てを行うことができる。
【００１６】
＜１０＞位置の調整。
ディスプレイ装置Ａによって、その厚さや、背面の取り付け既設ボルトと上端の位置には相違がある。
そこで仲介腕２のリンク２１を折り曲げ角度を調整して、搭載台１の位置が平面的にディスプレイ装置Ａの位置とほぼ一致するように調整し、ナット２３を締め付けて位置、姿勢を固定する。
その際に、ボルト２２の首部分を円錐台状に形成しておけば、ナット２３との結合によってボルト孔には円錐台の太い部分が強く挿入されることになるので、さらに強固で確実な締め付けが可能となる。
また、リンク２１の折れ曲げによって、搭載台１の下面がディスプレイ装置Ａの上部端面に接する位置まで下げておけば、搭載台１を下から確実に支持することができる。
こうしてディスプレイ装置Ａの上部空間の自由な位置に搭載台１を配置することができる。
搭載台１は、板体、容器体、などで構成してあるから、その上や内部にペン立て、リモコン、小さい花瓶、人形などを展示して上部空間を有効に利用することができる。
【００１７】
＜１１＞その他の構成。
搭載台１を利用して紙挟み４を取り付けることができる。
紙挟み４は、挟み具４２と縦ピン４３との間を棒状部材であるアーム４１で連結して構成する。
搭載台１の一部に孔を開口し、この孔にアーム４１の一端の縦ピン４３を挿入し、アーム４１の他端には紙を挟む、挟み具４２を取り付けておく。
この挟み具４２に原稿などを挟んでおけば、作業者の目の前に原稿などを展示することができるから、それを見ながら行う作業が容易となる。
【図面の簡単な説明】
【００１８】
【図１】薄型テレビのディスプレイ装置の上に本考案の装置を設置した状態の斜視図。
【図２】仲介腕２を介して搭載台をディスプレイ装置に取り付ける状態の側面からの説明図。
【図３】取付板と仲介腕と搭載台の関係の説明図。
【図４】搭載台に紙挟みを取り付ける場合の説明図。
【符号の説明】
【００１９】
１：搭載台
２：仲介腕
３：取付板
４：紙挟み
【図１】
0003138256.tif 000003
【図２】
0003138256.tif 000004
【図３】
0003138256.tif 000005
【図４】
0003138256.tif 000006